(57)【要約】【課題】  段階調光に際して、現在の調光率に関わらず、調光する人が白熱灯の明るさの変化を認識することができる調光装置を提供することを課題とする。【解決手段】  調光装置が段階調光制御を行なう際、現在の調光率ＰＬと調光ダウンする方向で一番近い段階調光率レベル５０パーセントとの差が、予め決められた設定調光率差（例えば５パーセント）未満の場合は一段階飛ばした段階調光率レベル２５パーセントに調光制御する。これにより、現在の調光率に関わらず、調光する人は、白熱灯の明るさの変化を認識することができる。【選択図】        図５
2006012648.tif 000002
【特許請求の範囲】
【請求項１】
白熱灯を調光制御する調光制御手段と、前記白熱灯の調光を指示する調光操作手段とを有し、前記調光操作手段の操作時間に対応して予め設定された段階調光レベルに調光する段階調光制御と任意の調光レベルに調光する無段階調光制御とを選択する調光装置において、前記段階調光制御を行なう際、現在の調光率と調光する方向で一番近い段階調光率レベルとの差が、予め決められた設定調光率差以上の場合、一番近い段階調光率レベルに調光する一方、前記設定調光率差未満の場合は一段階飛ばした段階調光率レベルに調光制御することを特徴とする調光装置。
【請求項２】
請求項１に記載の調光装置であって、前記設定調光率差は、段階調光率レベルの最大値を１００パーセントとした場合の３〜１０パーセントとすることを特徴とする調光装置。
【発明の詳細な説明】
【技術分野】
【０００１】
本発明は、浴室等に取り付けられた白熱灯を調光するための調光装置に関する。
【背景技術】
【０００２】
従来、浴室等に取り付けられた白熱灯を調光するための調光装置は、調光操作するための押しボタンスイッチの個数を少なくするために、押しボタンスイッチを押操作する時間の長さに応じて段階調光か無段階調光かを選択するように構成されたものがある。この調光装置によれば、押しボタンスイッチを押操作する時間が短くて段階調光が選択された場合、押しボタンスイッチの１回の押操作で段階調光率レベルを１段階変化させるように制御される（特許文献１参照）。
【特許文献１】特開２００２−３２９５８６号公報（〔０００５〕欄）
【発明の開示】
【発明が解決しようとする課題】
【０００３】
上記従来の調光装置によれば、段階調光が選択された場合、現在の調光率に関わらず、現在の調光率に一番近い段階調光率レベルに調光制御される。即ち、現在の調光率が例えば５１パーセントである場合、白熱灯を減光操作する押しボタンスイッチを押操作すると、５０パーセントの段階調光率レベルに調光制御される。これにより、白熱灯を減光操作する押しボタンスイッチを押操作しても調光率が１パーセントしか変化しないため、調光する人は調光率の変化、即ち、白熱灯の明るさの変化を認識することができない。
【０００４】
そこで本発明では、段階調光に際して、現在の調光率に関わらず、調光する人が白熱灯の明るさの変化を認識することができる調光装置を提供することを解決すべき課題とするものである。
【課題を解決するための手段】
【０００５】
上記課題は、特許請求の範囲の欄に記載した調光装置により解決することができる。
請求項１及び請求項２に記載の調光装置は、段階調光制御を行なう際、現在の調光率と調光する方向で一番近い段階調光率レベルとの差が、予め決められた設定調光率差以上の場合は一番近い段階調光率レベルに調光する一方、設定調光率差未満の場合は一段階飛ばした段階調光率レベルに調光する。これにより、調光する人は、現在の調光率に関わらず、白熱灯の明るさの変化を認識することができる。
【発明の効果】
【０００６】
本発明によれば、段階調光に際して、現在の調光率に関わらず、調光する人は、白熱灯の明るさの変化を認識することができるという効果がある。
【発明を実施するための最良の形態】
【０００７】
次に、本発明の実施の形態について説明する。
図１は、浴室に取り付けられた白熱灯２ａ，２ｂを調光する調光装置１の全体的な構成を示した斜視図である。
図１に示すように、浴室に燐設されている洗面室に取り付けられている電源スイッチ３がオンされると、ＡＣ１００Ｖ電源が、浴室の上部外側に設置されている調光照明制御ボックス４に供給されるように電気配線されている。尚、浴室の壁面に調光スイッチ５が取り付けられており、調光スイッチ５は調光照明制御ボックス４に接続されている。また、上記白熱灯２ａ，２ｂも調光照明制御ボックス４に接続されている。
【０００８】
図２は、調光スイッチ５の正面外観図である。
図２に示すように、調光スイッチ５には、調光率アップ時に押操作されるスイッチ５ａと、調光率ダウン時に押操作されるスイッチ５ｂと、現在の調光率のレベルを示す調光レベル表示器５ｃとが設けられている。
【０００９】
図３は、調光装置１の電気的な構成を示した制御系統図である。
図３において、白熱灯２ａ，２ｂは前述のように浴室に取り付けられたものであり、調光スイッチ５は、前述のように浴室の壁面に取り付けられたものである。また、マイクロコンピュータ７と調光回路８は前述の調光照明制御ボックス４に内蔵されている。尚、調光照明制御ボックス４には電源回路９が設けられており、マイクロコンピュータ７と調光回路８とに必要な電源電圧を供給する。
【００１０】
上記マイクロコンピュータ７は、調光スイッチ５のスイッチ５ａ，５ｂが押操作された場合の操作信号を入力し、それぞれの操作時間に応じて段階調光制御もしくは無段階調光制御を行なうためのソフトウエアを有している。また、マイクロコンピュータ７は、調光スイッチ５に設けられている調光レベル表示器５ｃに対して、現在の調光率レベルを表示させる表示信号を出力するためのソフトウエアを有している。
尚、マイクロコンピュータ７による段階調光制御及び無段階調光制御については後で詳しく説明する。
【００１１】
上記調光回路８は、マイクロコンピュータ７から出力された調光制御信号に基づいてＡＣ１００Ｖ電圧の位相制御を行なうことにより、白熱灯２ａ，２ｂに印加される電圧を調整し、調光率を変化させるように構成されている。
【００１２】
次に、調光装置１の調光制御について説明する。図４は、調光装置１の基本的な調光制御作用を示したタイミングチャートである。
図４において、タイミングチャート（Ａ）は、調光スイッチ５のスイッチ５ｂ（調光率ダウン用）の操作タイミングチャート、タイミングチャート（Ｂ）は、調光スイッチ５のスイッチ５ａ（調光率アップ用）の操作タイミングチャート、タイミングチャート（Ｃ）は、スイッチ５ｂ，５ａの操作時間に対応したマイクロコンピュータ７による調光制御タイミングチャートである。尚、この場合、段階調光制御の段階調光率レベルは、１００パーセント、６２パーセント、及び２５パーセントの３段階としている。
【００１３】
図４において、浴室使用者が、前記白熱灯２ａ，２ｂの調光率を１００パーセントからダウンさせるためにスイッチ５ｂをオンし、そのオン操作が０．５秒を超えると、マイクロコンピュータ７は調光率を２０％／秒のレートで無段階にダウンさせる。調光率がＸパーセントまでダウンしたとき、浴室使用者はスイッチ５ｂをオフしている。そのあと、スイッチ５ｂが０．５秒未満の間、オンされると、マイクロコンピュータ７は段階調光制御を選択し、２５パーセントの調光率までダウンさせる。
【００１４】
調光率が２５パーセントまでダウンされた状態で、浴室使用者が白熱灯２ａ，２ｂの調光率をアップさせるためにスイッチ５ａを０．５秒以上、オンすると、マイクロコンピュータ７は調光率を２０％／秒のレートで無段階にアップさせる。調光率がＺパーセントまでアップしたとき、浴室使用者はスイッチ５ａをオフしている。そのあと、スイッチ５ａが０．５秒未満の間、オンされると、マイクロコンピュータ７は段階調光制御を選択し、調光率を段階的にアップさせる。
【００１５】
次に、調光装置１の調光制御の特徴を、図５を参照して具体的に説明する。
図５は、前記調光スイッチ５の調光率ダウン用スイッチ５ｂ、もしくは調光率アップ用スイッチ５ａのオン時間が０．５秒未満であるため、マイクロコンピュータ７が段階調光制御を選択した場合の作用説明図である。尚、この段階調光制御では、段階調光率レベルを、１００パーセント、７５パーセント、５０パーセント、及び２５パーセントの４段階としている。また、ギリシャ文字αは、特許請求の範囲の欄に記載した設定調光率差を示す。尚、設定調光率差を３〜１０パーセントの範囲に設定するが、この場合、設定調光率差を５パーセントとする。
【００１６】
浴室使用者が前記白熱灯２ａ，２ｂを減光させるために調光スイッチ５の調光率ダウン用スイッチ５ｂを０．５秒未満オンすると、マイクロコンピュータ７は段階調光制御を選択する。図５に示すように、現在の調光率ＰＬが５２パーセントである場合、調光率ダウン方向での一番近い段階調光率レベルは５０パーセントであるため、現在の調光率ＰＬとの差は２パーセントである。しかるに設定調光率差は５パーセントに設定されているため、マイクロコンピュータ７は、調光率ダウン方向での一番近い段階調光率レベルの５０パーセントを飛ばして段階調光率レベル２５パーセントまで調光率を下げる。これにより、浴室使用者は、白熱灯が明らかに調光されたことを認識することができる。
【００１７】
次に、浴室使用者が白熱灯２ａ，２ｂを明るくするために調光スイッチ５の調光率アップ用スイッチ５ａを短時間、オンした場合、マイクロコンピュータ７により段階調光制御が行なわれる。現在の調光率ＰＬ（５２パーセント）から調光率アップ方向での一番近い段階調光率レベルは７５パーセントである。そのため、現在の調光率ＰＬとの差は２３パーセントであり、設定調光率差（５パーセント）を超えているため、マイクロコンピュータ７は、現在の調光率ＰＬ（５２パーセント）から調光率アップ方向での一番近い段階調光率レベル７５パーセントまで調光率を上げる。これにより、浴室使用者は、白熱灯が明らかに調光されたことを認識することができる。
【００１８】
以上説明したような特徴を有する調光装置１では、調光スイッチ５が上記のようにスイッチ５ａ（調光率アップ用），５ｂ（調光率ダウン用）の二つを有しているが、これに限らず、一つのスイッチで、現在の調光率から例えば最大調光率レベルの方向に操作指示し、最大調光率レベルまで調光制御されると、今度は最小調光レベルの方向に操作指示されるようにすれば、調光スイッチ５を一つのスイッチにすることができる。この場合でも、図５に示したような調光装置１の調光制御の特徴は同じである。
【００１９】
また、以上の実施の形態では、調光装置１を浴室に適用した例を説明したが、浴室に限らず、洗面室、トイレット、ベッドルームなどで、白熱灯を調光する場合にも使用することができる。
【図面の簡単な説明】
【００２０】
【図１】浴室に使用された調光装置の全体的な構成を示した斜視図である。
【図２】調光スイッチの正面外観図である。
【図３】調光装置の電気的な構成を示した制御系統図である。
【図４】調光装置の基本的な調光制御作用を示したタイミングチャートである。
【図５】調光装置の調光制御の特徴を示した作用説明図である。
【符号の説明】
【００２１】
１  調光装置
２ａ，２ｂ  白熱灯
３  電源スイッチ
４  調光照明制御ボックス
５  調光スイッチ
７  マイクロコンピュータ
８  調光回路  
【図１】
2006012648.tif 000003
【図２】
2006012648.tif 000004
【図３】
2006012648.tif 000005
【図４】
2006012648.tif 000006
【図５】
2006012648.tif 000007